(57)【要約】      （修正有）【課題】ツールヘッドの取出しが便利で迅速に交換でき、それと同時に良好な弾性嵌め止め能力があり、衝撃または震動によって脱落する欠点のない把手型工具を提供する。【解決手段】把手本体１０と台２０と二つの制御具３０とを有する。把手本体は、第一端と第二端を有し、該第一端の側にはツールヘッドが接続される接続溝１１が形成してあり、第二端の側には収容室１２が形成してあり、両側の側面側には収容室と連通する連通孔１５が形成してある。台は、ツールヘッドを収納する容置部２３を有し、且つ、その一端に嵌止具２４が取り付けてあり、軸方向スライド可能とされて、把手本体の収容室内に収容してある。嵌止具の嵌止部２４２が把手本体の連通孔の当て部１５２を係止しており、台は収容室内にロックされている。制御具は、把手本体の連通孔内に取り付けてあり、押し操作されて嵌止具を変形させて、台の把手本体の収容室内へのロックを解除する。【選択図】図２
2006346850.tif 000002
【特許請求の範囲】
【請求項１】
把手本体と、
台と、
制御具とを有し、
前記把手本体は、第一端と第二端を有し、該第一端の側にはツールヘッドが接続される接続溝が形成してあり、該第二端の側には収容室が形成してあり、側面側には該収容室と連通する連通孔が形成してある構成であり、
前記台は、その両端の間にツールヘッドを収納する容置部を有し、且つ、その一端に嵌止具が取り付けてあり、軸方向スライド可能とされて前記把手本体の前記収容室内に収容してある構成であり、
前記嵌止具は、前記台を前記把手本体の前記収容室内にロック定させると共に前記台がスライドするときに前記収容室との間で摩擦力を発生させる構成であり、
前記制御具は、前記把手本体の前記連通孔内に取り付けてあり、操作されて前記嵌止具を該台の前記把手本体の前記収容室内へのロックを解除するように制御する構成であることを特徴とする把手型工具。
【請求項２】
請求項１に記載の把手型工具において、
前記把手本体は、その両側に夫々連通孔が形成してあり、
該二つの連通孔内には夫々制御具が設けられ、該二つの制御具はともに前記嵌止具を制御する構成としたことを特徴とする把手型工具。
【請求項３】
請求項１又は請求項２に記載の把手型工具において、
前記連通孔は、その一端に嵌合部を有し、
前記制御具は、その一端に横方向に延伸した嵌め付け部を有し、
前記制御具は、該嵌め付け部を前記嵌合部と嵌め付けられて取り付けてある構成としたことを特徴とする把手型工具。
【請求項４】
請求項３に記載の把手型工具において、
前記制御具は、前記嵌め付け部が形成してある端とは反対側の端に、横方向に延伸した当て押し部を有し、
前記嵌止具は、前記当て押し部を係止する延伸端を有する構成としたことを特徴とする把手型工具。
【請求項５】
請求項４に記載の把手型工具において、
前記連通孔は、その内部の一端に当て部を有し、
前記嵌止具は、前記延伸端の先端に嵌止部を有し、
前記台が前記把手本体の前記収容室内に収容された状態で、前記嵌止部が前記当て部に嵌め当たる構成としたことを特徴とする把手型工具。
【請求項６】
請求項５に記載の把手型工具において、
前記台は、その容置部のうち前記嵌止具の延伸端に相対する個所に、前記前記嵌止具の嵌止部を受け入れる避け溝が形成してある構成としたことを特徴とする把手型工具。
【請求項７】
請求項５に記載の把手型工具において、
前記台は、前記嵌止具に相対する位置に、結合溝を有し、
該結合溝に、嵌止具の中段が嵌合して組み付けてある構成としたことを特徴とする把手型工具。
【請求項８】
請求項５に記載の把手型工具において、
前記把手本体の前記収容室には、前記嵌止具に相対する位置に、前記延伸端がスライドするための案内溝が形成してある構成としたことを特徴とする把手型工具。
【請求項９】
請求項１又は請求項２に記載の把手型工具において、
前記制御具は、前記連通孔に露出している一側に、金属製の装飾片が設けてある構成としたことを特徴とする把手型工具。
【請求項１０】
請求項９に記載の把手型工具において、
前記装飾片は、その一側に鉤部を有し、
前記制御具は、前記装飾片の鉤部に相対する位置に、前記鉤部と互いに組み継げられる係止部を有する構成としたことを特徴とする把手型工具。
【請求項１１】
請求項１に記載の把手型工具において、
前記把手本体の前記収容室には、前記把手本体の軸線方向に延伸するスライド溝が形成してあり、
前記台は、軸線方向に延伸する案内レールを有し、
該案内レールが前記スライド溝とスライド可能に嵌合した構成としたことを特徴とする把手型工具。
【請求項１２】
請求項１に記載の把手型工具において、
前記把手本体の前記収容室には、コイルスプリングを取り付けるための固定ボスが形成してある構成としたことを特徴とする把手型工具。
【発明の詳細な説明】
【技術分野】
【０００１】
本発明は把手型工具に係り、特に良好な弾性嵌め止め効果のある把手型工具に関する。
【背景技術】
【０００２】
伝統的ドライバの把手内にはともに多くのツールヘッドを収納する空間が設けられ、使用者に数多い選択性のある仕事能力を提供している。ところがドライバは使用時に常に外力の衝撃によって地面に落下し、把手内のツールヘッドが一面にちらばってしまい、使用上不便であった。
【０００３】
一般に見られる構成は、ねじ付きの蓋によってドライバの把手にねじ付け、それらツールヘッドを閉まっているが、ねじ方式で閉まる設計はツールヘッドの取り出し時間に無駄があり、使用上かなり面倒で不便である。
【０００４】
その他に、押すと弾み出す工具箱の構造が設計され、快速にツールヘッドを取り出す目的を達成している。ところがこのような設計はドライバの把手に押しボタンを取り付けて工具箱の嵌め止め状態を制御しているので、嵌め止めの効果ははっきりしなく、ドライバは外力の衝撃によって地面に落下し、工具箱が把手から脱落してツールヘッドが一面にちらばってしまうことになりやすく、使用上不便である。
【０００５】
また、それら相互の嵌め止め構造はすべてプラスチックからなり、プラスチック材の強靭性はやや劣り、弾性疲労になりやすいほか、更に油汚れとの接触によって劣化や亀裂になりやすく、そのために従来の構造が提供する嵌め止め効果に限度があり、寿命も長くなく、良好な嵌め止め効果を提供することができない。
【発明の開示】
【発明が解決しようとする課題】
【０００６】
従来の構造はねじ付きの蓋によってドライバの把手にねじ付け、それらツールヘッドを閉まっているが、このようなねじ方式の設計はツールヘッドを取り出す時間が無駄になり、使用上はかなり面倒で不便である。押すと弾み出す工具箱の構造はドライバの把手に押しボタンを取り付けて工具箱の嵌め止め状態を制御しているだけで、嵌め止め効果ははっきりしなく、ドライバーは外力の衝撃によって地面に落下し、工具箱が把手から脱落してツールヘッドが一面にちらばってしまうことになりやすく、使用上不便である。
【０００７】
またそれら相互の嵌め止め構造はすべてプラスチックからなり、プラスチック材の強靭性はやや劣り、弾性疲労になりやすい外、更に油汚れとの接触によって老化や亀裂の欠点になりやすく、そのために従来の構造が提供する嵌め止め効果に限度があり、寿命も長くないので、良好な嵌め止め効果を提供することができなく、改善する必要がある。
【０００８】
そこで、本発明は、上記の課題を解決した把手型工具を提供することを目的とする。
【課題を解決するための手段】
【０００９】
請求項１の発明は、把手本体（１０）と、
台（２０）と、
制御具（３０）とを有し、
前記把手本体は、第一端と第二端を有し、該第一端の側にはツールヘッドが接続される接続溝（１１）が形成してあり、該第二端の側には収容室（１２）が形成してあり、側面側には該収容室と連通する連通孔（１５）が形成してある構成であり、
前記台は、その両端の間にツールヘッドを収納する容置部（２３）を有し、且つ、その一端に嵌止具（２４）が取り付けてあり、軸方向スライド可能とされて前記把手本体の前記収容室内に収容してある構成であり、
前記嵌止具は、前記台を前記把手本体の前記収容室内にロックさせると共に前記台がスライドするときに前記収容室との間で摩擦力を発生させる構成であり、
前記制御具は、前記把手本体の前記連通孔内に取り付けてあり、操作されて前記嵌止具を該台の前記把手本体の前記収容室内へのロックを解除するように制御する構成であることを特徴とする。
【００１０】
請求項２の発明は、請求項１に記載の把手型工具において、
前記把手本体は、その両側に夫々連通孔（１５）が形成してあり、
該二つの連通孔内には夫々制御具が設けられ、該二つの制御具はともに前記嵌止具を制御する構成としたことを特徴とする。
【００１１】
請求項３の発明は、請求項１又は請求項２に記載の把手型工具において、
前記連通孔は、その一端に嵌合部（１５１）を有し、
前記制御具は、その一端に横方向に延伸した嵌め付け部（３１）を有し、
前記制御具は、該嵌め付け部（３１）を前記嵌合部（１５１）と嵌め付けられて取り付けてある構成としたことを特徴とする。
【００１２】
請求項４の発明は、請求項３に記載の把手型工具において、
前記制御具は、前記嵌め付け部が形成してある端とは反対側の端に、横方向に延伸した当て押し部（３２）を有し、
前記嵌止具は、前記当て押し部を係止延伸端（２４１）を有する構成としたことを特徴とする。
【００１３】
請求項５の発明は、請求項４に記載の把手型工具において、
前記連通孔（１５）は、その内部の一端に当て部（１５２）を有し、
前記嵌止具は、前記延伸端（２４１）の先端に嵌止部（２４２）を有し、
前記台が前記把手本体の前記収容室内に収容された状態で、前記嵌止部が前記当て部に嵌め当たる構成としたことを特徴とする。
【００１４】
請求項６の発明は、請求項５に記載の把手型工具において、
前記台は、その容置部（２３）のうち前記嵌止具（２４）の延伸端（２４１）に相対する個所に、前記前記嵌止具（２４）の嵌止部（２４２）を受け入れる避け溝（２０２）が形成してある構成としたことを特徴とする。
【００１５】
請求項７の発明は、請求項５に記載の把手型工具において、
前記台は、前記嵌止具に相対する位置に、結合溝（２０１）を有し、
該結合溝（２０１）に、嵌止具の中段が嵌合して組み付けてある構成としたことを特徴とする。
【００１６】
請求項８の発明は、請求項５に記載の把手型工具において、
前記把手本体の前記収容室（１２）には、前記嵌止具に相対する位置に、前記延伸端がスライドするための案内溝（１２２）が形成してある構成としたことを特徴とする。
【００１７】
請求項９の発明は、請求項１又は請求項２に記載の把手型工具において、
前記制御具は、前記連通孔に露出している一側に、金属製の装飾片（３３）が設けてある構成としたことを特徴とする。
【００１８】
請求項１０の発明は、請求項９に記載の把手型工具において、
前記装飾片は、その一側に鉤部（３３１）を有し、
前記制御具は、前記装飾片の鉤部（３３１）に相対する位置に、前記鉤部と互いに組み継げられる嵌塊（３０１）を有する構成としたことを特徴とする。
【００１９】
請求項１１の発明は、請求項１に記載の把手型工具において、
前記把手本体の前記収容室（１２）には、前記把手本体の軸線方向に延伸するスライド溝（１２１）が形成してあり、
前記台は、軸線方向に延伸する案内レール（２５）を有し、
該案内レール（２５）が前記スライド溝（１２１）とスライド可能に嵌合した構成としたことを特徴とする。
【００２０】
請求項１２の発明は、請求項１に記載の把手型工具において、
前記把手本体の前記収容室（１２）には、コイルスプリング（１４）を取り付けるための固定塊（１３）が形成してある構成としたことを特徴とする。
【発明の効果】
【００２１】
本発明は以下の効果を有する。
１．ツールヘッドの取出しが便利で、迅速に交換でき、それと同時に良好な弾性嵌め止め能力がある、衝撃または震動が作用した場合であって脱落することが起きない。
２．台は金属製の嵌止具を使用しているので、劣化する問題が無く、長期間に良好な弾性と嵌め止め効果を提供することができ、使用寿命を増やす効果がある。
３．制御具の外表面には金属の装飾片が設けられているので、使用者の手と直接接触することなく、油汚れと接触して劣化する欠点が避けられる。
４．台には容置部が一体成型され、それは製造過程を簡略化するだけでなく、かつ従来構造の二枚式による脱落分離の欠点が起こらない。
【発明を実施するための最良の形態】
【００２２】
次に本発明の実施の形態について説明する。
【実施例１】
【００２３】
図１は本発明の実施例１になる把手型工具１の立体外観斜視図である。図２は把手型工具を分解して示す。図３は図１中３−３線に沿う断面図である。図４は図１中４−４線に沿う断面図である。Ｘ１−Ｘ２は把手型工具の軸線の方向であり、Ｘ１が第一端の側、Ｘ２が第一端の側である。
【００２４】
図１及び図２に示すように、本発明になる把手型工具１は、把手本体１０と、把手本体１０内にスライドできるように設けてある台２０と、把手本体１０の側辺に設けられてある制御具３０とよりなる。
【００２５】
図２及び図３を参照するに、把手本体１０は、略円形の把手の形状であり、使用者の握り持ちに供される。把手本体１０は第一端１０ａと第二端１０ｂとを有し、第一端１０ａ側にはツールヘッド４０を接続することが可能である接続溝１１が形成してある。把手本体１０の第二端１０ｂ側には収容室１２が形成してある。収容室１２内の両側にはそれぞれ把手本体１０の軸線方向に沿って延伸するスライド溝１２１が形成してあり、且つ、収容室１２の底端には固定ボス１３が設けてあり、その固定ボス１３にはコイルスプリング１４が嵌合して設けられている。
【００２６】
図４に示すように、把手本体１０の両側にはそれぞれ連通孔１５が形成してある。各連通孔１５は収容室１２と連通している。各連通孔１５は把手本体１０の軸線の方向に長い楕円形であり、第一端と第二端とを有する。連通孔１５の第一端には嵌合部１５１が設けてあり、連通孔１５の第二端には当て部１５２が設けてある。
【００２７】
台２０は、把手本体１０の収容室１２内に設けられ、軸方向に相対的にスライド可能な関係にある。台２０には第一端と第二端があり、台２０の第一端には押し止め部２１が形成してあり、その押し止め部２１は把手本体１０の収容室１２内のコイルスプリング１４と接触することが可能である。台２０の第二端にはヘッド部２２が形成してある。このヘッド部２２は、把手本体１０の第二端１０ａの外形輪郭に符合する凸弧状の表面２２１を有する。その表面２２１は把手本体１０の全体外観が美観を呈するようにし、且つ使用者が握り持つときに握りやすくなるようにする。台２０のヘッド部２２の両側には滑り止め部２２２が設けてあり、この滑り止め部２２２が存在することによって、使用者は安定に台２０を持てるようになる。この滑り止め部２２２は、複数個の凹溝からなる透かし彫り状に構成されているので、それには重量低減の効果もある。
【００２８】
台２０の第一端と第二端との間には容置部２３が形成してある。この容置部２３は複数個の種類の違うまたはサイズの違うツールヘッド４０を収納することが可能である。容置部２３には六個の六角溝が形成してある。台２０の容置部２３と押し止め部２１との間には嵌止具２４が取り付けてある。この嵌止具２４は、台２０を、把手本体１０の収容室１２から抜け出さずに収容室１２内に固定可能とするように機能する。嵌止具２４は、弾性のある金属片であり、Ｕ字状に折り曲げてある。台２０の両側にはそれぞれ軸線方向に延伸する案内レール２５が形成してある。この案内リブ２５は把手本体１０の収容室１２内のスライド溝１２１と嵌合することが可能であり、台２０を収容室１２に出し入れするときに、案内レール２５がスライド溝１２１と嵌合してスライドする。
【００２９】
嵌止具２４は二つの延伸端２４１を有し、その二つの延伸端２４１の先端には嵌止部２４２が形成してある。嵌止部２４２は、把手本体１０のＸ２側から台２０が把手本体１０の収容室１２内に最終位置まで挿入されたときに、把手本体１０の連通孔１５の当て部１５２を係止する。
【００３０】
台２０の嵌止具２４に相対する位置には弧形の結合溝２０１が形成してあり、この結合溝２０１に嵌止具２４の中段が嵌合して組み付けてある。台２０の容置部２３のうち嵌止具２４の両側の二つの延伸端２４１に相対する個所には、それぞれ嵌止具２４の嵌止部２４２を受け入れるための避け溝２０２が形成してある。把手本体１０の収容室１２の嵌止具２４に相対する位置には更に案内溝１２２が形成してある。台２０を収容室１２に出し入れするときに、嵌止具２４の両側の延伸端２４１がこの案内溝１２２をスライドする。
【００３１】
二つの制御具３０は、それぞれ把手本体１０の両側の連通孔１５内に取り付けられ、使用者によって押し操作され、台２０の嵌止具２４を動かす。
【００３２】
制御具３０は連通孔１５の形状と同じく楕円形であり、第一端と第二端とを有する。制御具３０の第一端には嵌め付け部３１が横方向に延伸して形成してあり、第二端には当て押し部３２が横方向に延伸して形成してある。制御具３０は、その嵌め付け部３１を連通孔１５内の嵌合部１５１と嵌め付けされて取り付けてある。制御具３０の当て押し部３２は嵌止具２４の延伸端２４１の外側と接触している。
【００３３】
制御具３０の連通孔１５から露出している側には装飾片３３が取り付けてある。この装飾片３３は連通孔１５の形と同じく楕円形である。装飾片３３の一側には鉤部３３１が形成してあり、制御具３０の装飾片３３の鉤部３３１に相対する位置には鉤部３３１と互いに組み継げられる係止部３０１が設けてある。装飾片３３は、鉤部３３１が係止部３０１に係止されて制御具３０に取り付けてある。この装飾片３３は金属材から作られているので、材質強度が良いことの他に、良い外観の質感表現が得られ、且つ、金属材の装飾片３３は使用者の手の油汚れと接触しても劣化することが起きない。
【００３４】
工具１を使用していないときには、図１、図３及び図４に示すように、容置部２３にツールヘッド４０が収納してある台２０が、把手本体１０のＸ２端の側に差し込まれて収容室１２内に収容されている。嵌止具２４の嵌止部２４２が把手本体１０の連通孔１５の当て部１５２を係止して、台２０は収容室１２内にロックされている。
【００３５】
次に、把手型工具１を使用するときの操作及び動作について説明する。
【００３６】
図５は、台２０が把手本体１０の収容室１２内にロックされて収容してある状態の把手型工具において、両側の制御具３０を押し操作したときの状態を示す。
【００３７】
把手本体１０内のツールヘッド４０を取り出す場合には、使用者は把手型工具を手に持って把手本体１０の両側の制御具３０を同時に押す。
【００３８】
この操作によって、二つの制御具３０の当て押し部３２がそれぞれ嵌止具２４の二つの延伸端２４１を押し付ける。
【００３９】
これによって、制御具３０の二つの延伸端２４１がすぼめられて、二つの嵌止部２４２は同時に当て部１５２から外れて、台２０の避け溝２０２内に入り込む。これによって、ロックが解除され、台２０は把手本体１０間との嵌め付け関係を失い、コイルスプリング１４の押し出す力を受けてＸ２方向へスライドされて把手本体１０の収容室１２より外へ押し出される。
【００４０】
図６は台２０がＸ２方向へスライドしたときの状態を示す。二つの延伸端２４１は対応する案内溝１２に嵌合する。この二つの延伸端２４１には外方に拡張するばね力があるので、二つの延伸端２４１が案内溝１２２に押し当り、延伸端２４１と案内溝１２２との間に摩擦力が発生し、これが制動力となって、台２０のＸ２方向へスライドは図６に示す位置までで停止、台２０が把手本体１０のＸ２側から脱出してしまうことは起きない。
【００４１】
図７は台２０が把手本体１０から分離したときの状態を示す。使用者は台２０のうち把手本体１０のＸ２端より突き出た部分を掴んで引く。これによって、台２０が把手本体１０の収容室１２から引き出される。これによって、台２０の容置部２３内のツールヘッド４０を取り出し使用することが出来るようになり、使用上かなり便利である。
【００４２】
取り出したツールヘッド４０を把手本体１０に接続溝１１に嵌合させて接続する。また、台２０を把手本体１０の収容室１２内に挿入して押し込む。このとき、案内レール２５がスライド溝１２１と嵌合されてスライドし、且つ、嵌止具２４の両側の延伸端２４１が案内溝１２２に沿って摺動する。台２０が把手本体１０の収容室１２内に最終位置まで挿入されたときに、制御具３０の二つの延伸端２４１が拡がって、二つの嵌止部２４２が同時に当て部１５２を係止して、台２０は把手本体１０にロックされる。
【００４３】
また、制御具３０の外部表面には金属の装飾片３３が設けられてあるので、使用者の手が制御具３０に直接接触することがなく、制御具３０が油汚れと接触によって劣化することが起きない。また、台２０に取り付けてある嵌止具２４は金属製であるため、嵌止具２４が劣化することも起きず、長期間に良好な弾性を提供することができ、使用寿命を延ばすことが出来るという効果がある。
【００４４】
以上に述べたのは本発明の最適実施例であり、もちろんそれは本発明の実施範囲を限定するものではなく、およそ数値の変更または同等効果の部品の入れ替え、または本発明の特許登録請求の範囲によって行った同等変化と改修はすべて本発明の技術的範囲に含まれるものである。
【図面の簡単な説明】
【００４５】
【図１】本発明の実施例１の把手型工具の立体外観斜視図である。
【図２】図１の把手型工具を分解して示す斜視図である。
【図３】図１中３−３線に沿う断面図である。
【図４】図１中４−４線に沿う断面図である。
【図５】把手型工具の両側の制御具を押し操作をしたときの状態を示す図である。
【図６】台がＸ２方向へスライドしたときの状態を示す図である。
【図７】台が把手本体から分離したときの状態を示す図である。
【符号の説明】
【００４６】
１  把手型工具
１０  把手本体
１０ａ  第一端
１０ｂ  第二端
１１  接続溝
１２  収容室
１２１  スライド溝
１３  固定ボス
１４  コイルスプリング
１５  連通孔
１５１  嵌合部
１５２  当て部
２０  台
２０１  結合溝
２０２  避け溝
２１  押し止め部
２２  ヘッド部
２２１  凸弧状の表面
２２２  滑り止め部
２３  容置部
２４  嵌止具
２４１  延伸端
２４２  嵌止部
２５  案内レール
３０  制御具
３０１  係止部
３１  嵌め付け部
３２  当て押し部
３３  装飾片
３３１  鉤部
３３２  
４０  ツールヘッド
【図１】
2006346850.tif 000003
【図２】
2006346850.tif 000004
【図３】
2006346850.tif 000005
【図４】
2006346850.tif 000006
【図５】
2006346850.tif 000007
【図６】
2006346850.tif 000008
【図７】
2006346850.tif 000009